【事件の表示】
　特許第２７４４７７６号「磁気光学記録再生装置」の特許に対する特許異議の申立てについて、次のとおり決定する。
【結論】
　訂正を認める。
　特許第２７４４７７６号の特許を維持する。
【理由】
１．手続の経緯
　本件特許２７４４７７６号の請求項１に係る発明についての出願は、昭和５５年１０月９日に出願した特願昭５５−１４１５５３号の一部を平成２年５月３０日に新たな特許出願したものをさらにその一部を平成７年１１月２４日に新たな特許出願としたものであって、平成１０年２月６日にその発明について特許の設定登録がされ、その後、その特許について、異議申立人有限会社オフィスアテナにより特許異議の申立てがなされ、取消理由通知がなされ、平成１１年６月７日に訂正請求がなされ、平成１１年６月２４日に訂正拒絶理由通知を兼ねた取消理由通知がなされ、その指定期間内である平成１１年９月７日に平成１１年６月７日付けの訂正請求を取り下げ新たな訂正請求がなされたものである。
２．訂正の適否についての判断
２−１．訂正の内容
　特許権者が求めている訂正の内容は、以下のとおりである。
　訂正点▲１▼：特許請求の範囲の請求項１を
　「レーザ光源と、
　透明な基板に
希土類金属と遷移金属よりなるアモルファスフェリ磁性体からなる
　前記レーザ光源から出射されたレーザ光を前記垂直磁化膜にスポット照射させる光学手段と、
　前記レーザ光のスポット照射部分に磁場を与える磁場付与手段と、
を備え、
　スポット照射させるための光学手段は、前記記録円板の前記透明な基板側に配置され、レーザ光を前記記録円板の透明な基板を介して前記垂直磁化膜に照射し、
　前記磁場付与手段は、磁性体にコイルを巻いて形成される電磁石からなり、
　該電磁石は、
前記記録円板に対して、
　前記記録円板は、前記垂直磁化膜上の、
前記垂直磁化膜に対して前記電磁石が配置される側に、
　
誘電体膜と、
　
反射膜と、
　
ガラス，セラミックス，金属，樹脂のいずれかと、
をこの順に有する保護手段
に訂正する。
　訂正点▲２▼：、明細書の段落番号【００１７】の記載を、
　「【００１７】
　【課題を解決するための手段】
　本発明の磁気光学記録再生装置は、上記課題を解決するため、
　レーザ光源と、
　透明な基板に
希土類金属と遷移金属よりなるアモルファスフェリ磁性体からなる
　前記レーザ光源から出射されたレーザ光を前記垂直磁化膜にスポット照射させる光学手段と、
　前記レーザ光のスポット照射部分に磁場を与える磁場付与手段と、
を備え、
　スポット照射させるための光学手段は、前記記録円板の前記透明な基板側に配置され、レーザ光を前記記録円板の透明な基板を介して前記垂直磁化膜に照射し、
　前記磁場付与手段は、磁性体にコイルを巻いて形成される電磁石からなり、
　該電磁石は、
前記記録円板に対して、
　前記記録円板は、前記垂直磁化膜上の、
前記垂直磁化膜に対して前記電磁石が配置される側に、
　
誘電体膜と、
　
反射膜と、
　
ガラス，セラミックス，金属，樹脂のいずれかと、
をこの順に有する保護手段を
に訂正する。
　訂正点▲３▼：明細書の段落番号【００３４】の記載を、
「【００３４】
　【発明の効果】
　以上のように
本発明
希土類金属と遷移金属よりなるアモルファスフェリ磁性体からなる
照射し、
前記記録円板に対して、
前記垂直磁化膜上の、前記垂直磁化膜に対して前記電磁石が配置される側に、誘電体膜と、反射膜と、ガラス，セラミックス，金属，樹脂のいずれかと、をこの順に有する保護手段を有してなることを特徴とするものである。
に訂正する。
２−２．訂正の目的の適否、新規事項の有無及び拡張・変更の存否
　訂正点▲１▼について
　請求項１のように訂正することは、明細書の段落番号【００２２】の記載に基づくもので、記録円盤の構成をより限定するものであって、特許請求の範囲の減縮に相当するものであり、新規事項の追加に該当せず、また、実質上特許請求の範囲を拡張し、又は変更するものではない。
　訂正点▲２▼及び▲３▼について
　訂正点▲２▼及び▲３▼の訂正は、特許請求の範囲の記載と発明の詳細な説明の項との整合を図るためになされたものであり、明りょうでない記載の釈明を目的とするものであって、新規事項の追加に該当せず、また、実質上特許請求の範囲を拡張し、又は変更するものでもない。
２−３．独立特許要件
２−３−１．訂正明細書の請求項１に係る発明
　上記２−１．における訂正点▲１▼参照。
２−３−２．引用刊行物の発明
　▲１▼平成１１年８月５日付けの訂正請求に係る発明に対し、当審が訂正拒絶理由通知を兼ねた取消理由通知において示した刊行物１（特開昭５５−１２２２４４号公報）の従来例には、
　光磁気記録再生する場合に、透明なベース上に設けた磁性粉塗布型からなる磁気記録媒体に対し、磁性層に磁気ヘッドを接触させて磁界を印加するとともに、磁性層の磁界印加区域に透明ベース側からレーザ光をレンズにより収束させて照射するようにした、
　また、光磁気記録再生する場合に、硝子坂からなる透明基板上に蒸着等により良好な粒状性をもって被着形成した低抗磁力の磁性被膜の上に磁性粉塗布型磁性層を設け、その磁性層に接する磁気ヘッドにより外部磁界を印加することにより記録を行い、その磁性層の磁化区域に対応して磁化された磁性薄膜の微少区域を透明基板側からレーザ光ビームを照射して、得られる反射光ビームをレンズを介して取り出し、光磁気再生を行うようにした、
発明が記載されている。
　▲２▼同刊行物２（特開昭５５−８９９２８号公報）の従来例には、
　基板、パーマロイ膜、垂直磁器記録媒体膜（Ｃｏ−Ｃｒ含有膜）及び保護膜をこの順に積層した垂直磁気記録装置の発明が載されている。
　▲３▼同引用した周知例（特開昭５５−８７３３２号公報）には、
　経年変化および損傷の防止のための光学的に透明な保護膜を付加するようにした光磁気記録媒体の発明が記載されている。
２−３−３．対比・判断
　訂正明細書の請求項１に係る発明と、刊行物１、２に記載された発明及び周知例の発明とを対比すると、訂正明細書の請求項１に係る発明の記録円板を「透明な基板に希土類金属と遷移金属よりなるアモルファスフェリ磁性体からなる垂直磁化膜」及び「垂直磁化膜上の、前記垂直磁化膜に対して前記電磁石が配置される側に、誘電体膜と、反射膜と、ガラス，セラミックス，金属，樹脂のいずれかと、をこの順に有する保護手段」を有するように構成することは、刊行物１、２に記載された発明及び周知例の発明には記載も示唆もされているとは認められない。
　訂正明細書の請求項１に係る発明のように構成することにより、明細書記載の「スポット照射させるための光学手段は、前記記録円板の前記透明な基板側に配置されレーザ光を前記記録円板の透明な基板を介して前記垂直磁化膜に照射するようにしているため、記録円板の光入射側の光学系の位置的制約が少なく、レーザ光をスポット照射させるための収束レンズ等を、記録円板の垂直磁化膜に充分近ずけて配置することができる。また、前記磁場付与手段は、磁性体にコイルを巻いて形成される電磁石からなり、該電磁石は前記記録円板の透明な基板側とは反対側に配置しており、少ない電流で強い磁場を発生でき、かつ熱の発生を抑制できるとともに、さらに電磁石は記録基板の透明な基板が側でない方に配置され、垂直磁化膜と電磁石が近接することとなり、コイルに流す電流値をさらに低減しまた熱の発生をより少なくできる。さらに、前記記録円板は、前記垂直磁化膜上、前記電磁石側に、誘電体膜や反射膜などによる保護手段を有するものであり、電磁石が記録円板に接触した場合でも垂直磁化膜には直接触れられることがなく、傷等により記録再生膜が破壊されることを防止できる。」という格別の効果を奏するものである。
　したがって、訂正明細書の請求項１に係る発明は、刊行物１、２に記載の発明及び周知例に記載の発明に記載の発明であるとも、刊行物１、２記載の発明と周知例の発明とを組み合わせて容易に発明をすることができたものともいえず、訂正明細書の請求項１に係る発明は、特許出願の際独立して特許を受けることができない発明とすることはできない。
２−４．むすび
　以上のとおりであるから、上記訂正は、特許法第１２０条の４第２項及び同条第３項において準用する第１２６条２〜４項の規定に適合するので、訂正を認める。
３．特許異議の申立てについて
３−１．本件発明
　上記２−１．における訂正点▲１▼参照（以下「本件請求項１に係る発明」という）。
３−２．申立ての理由の概要
　申立人有限会社オフィスアテナは、証拠として甲第１号証（特開昭５５−１２２２４４号公報）、甲第２号証（特開昭５５−８９９２８号公報）を提出し、請求項１に係る発明は、甲第１号証及び甲第２号証に記載された発明に基づいて当業者が容易に想到し得るものであり、特許法第２９条第２項の規定に違反して特許されたものであるから、請求項１に係る発明の特許を取り消すべき旨主張している。
　なお、異議申立人有限会社オフィスアテナは、参考資料（特開昭５５−８７３３２号公報）を提出し、必要に応じて保護膜を形成することは周知事項にすぎないと主張している。
３−３．甲各号証記載及び参考資料記載の発明
　甲第１号証については、上記２−３−２．▲１▼、甲第２号証については、上記２−３−２．▲２▼参照。
　また参考資料については、２−３−２．▲３▼参照。
３−４．対比・判断
　上記２−３−３．において示したとおりである。
３−５．むすび
　以上のとおりであるから、特許異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年１１月２日（１９９９．１１．２）
【訂正の要旨】
　訂正点▲１▼：特許請求の範囲の請求項１を
　「レーザ光源と、
　透明な基板に
希土類金属と遷移金属よりなるアモルファスフェリ磁性体からなる
　前記レーザ光源から出射されたレーザ光を前記垂直磁化膜にスポット照射させる光学手段と、
　前記レーザ光のスポット照射部分に磁場を与える磁場付与手段と、
を備え、
　スポット照射させるための光学手段は、前記記録円板の前記透明な基板側に配置され、レーザ光を前記記録円板の透明な基板を介して前記垂直磁化膜に照射し、
　前記磁場付与手段は、磁性体にコイルを巻いて形成される電磁石からなり、
　該電磁石は、
前記記録円板に対して、
　前記記録円板は、前記垂直磁化膜上の、
前記垂直磁化膜に対して前記電磁石が配置される側に、
　
誘電体膜と、
　
反射膜と、
　
ガラス，セラミックス，金属，樹脂のいずれかと、
をこの順に有する保護手段
に訂正する。
　訂正点▲２▼：、明細書の段落番号【００１７】の記載を、
　「【００１７】
　【課題を解決するための手段】
　本発明の磁気光学記録再生装置は、上記課題を解決するため、
　レーザ光源と、
　透明な基板に
希土類金属と遷移金属よりなるアモルファスフェリ磁性体からなる
　前記レーザ光源から出射されたレーザ光を前記垂直磁化膜にスポット照射させる光学手段と、
　前記レーザ光のスポット照射部分に磁場を与える磁場付与手段と、
を備え、
　スポット照射させるための光学手段は、前記記録円板の前記透明な基板側に配置され、レーザ光を前記記録円板の透明な基板を介して前記垂直磁化膜に照射し、
　前記磁場付与手段は、磁性体にコイルを巻いて形成される電磁石からなり、
　該電磁石は、
前記記録円板に対して、
　前記記録円板は、前記垂直磁化膜上の、
前記垂直磁化膜に対して前記電磁石が配置される側に、
　
誘電体膜と、
　
反射膜と、
　
ガラス，セラミックス金属，樹脂のいずれかと、
をこの順に有する保護手段
に訂正する。
　訂正点▲３▼：明細書の段落番号【００３４】の記載を、
　「【００３４】
　【発明の効果】
　以上のように
本発明
希土類金属と遷移金属よりなるアモルファスフェリ磁性体からなる
照射し、
前記記録円板に対して、
前記垂直磁化膜上の、前記垂直磁化膜に対して前記電磁石が配置される側に、誘電体膜と、反射膜と、ガラス，セラミックス，金属，樹脂のいずれかと、をこの順に有する保護手段を有してなることを特徴とするものである。
に訂正する。
（５４）【発明の名称】
磁気光学記録再生装置
（５７）【特許請求の範囲】
　【請求項１】　レーザ光源と、
　透明な基板に
希土類金属と遷移金属よりなるアモルファスフェリ磁性体からなる
　前記レーザ光源から出射されたレーザ光を前記垂直磁化膜にスポット照射させる光学手段と、
　前記レーザ光のスポット照射部分に磁場を与える磁場付与手段と、
を備え、
　スポット照射させるための光学手段は、前記記録円板の前記透明な基板側に配置され、レーザ光を前記記録円板の透明な基板を介して前記垂直磁化膜に
照射し、
　前記磁場付与手段は、磁性体にコイルを巻いて形成される電磁石からなり、
　該電磁石は、
前記記録円板に対して、
　前記記録円板は、
前記垂直磁化膜上の、前記垂直磁化膜に対して前記電磁石が配置される側に、
　
誘電体膜と、
　
反射膜と、
　
ガラス，セラミックス，金属，樹脂のいずれかと、
をこの順に有する保護手段
【発明の詳細な説明】
　【０００１】
　【発明の属する技術分野】
　本発明は垂直磁化膜に記録された情報をレーザ光を用いて再生する磁気光学記録再生装量に関する。
　【０００２】
　近年、光メモリ装置は高密度、大容量、及び高速アクセスの可能なメモリ装置として広く研究されているが、大別すると次の３種類が考えられる。
　【０００３】
　▲１▼記憶素子に記録された情報の再生のみ可能なもの。
　【０００４】
　▲２▼再生及び情報の追加記録が可能なもの。
　【０００５】
　▲３▼再生・追加記録のみならず、不要な情報を消去し、再記録することが可能なもの。
　【０００６】
　このうち、▲１▼，▲２▼の装置については既に実用化の段階に至っているが、▲３▼の装置については研究開発段階にあり、実用化し得るものは皆無である。
　【０００７】
　本発明はＡｒレーザ、ＨｅＣｄレーザ、ＨｅＮｅレーザ、半導体レーザ等のレーザ光を用いて熱磁気的に情報の記録、消去を行い、又磁気光学効果を利用して情報の再生を行うことにより、前記の装置の実用化を図った磁気光学記録再生装置に関するものである。
　【０００８】
　【従来の技術】
　従来、磁気光学記録再生装置の実用的なシステムとして報告されているものは非常に少ない。
　【０００９】
　実用に近いものとしては、電波新聞磁気メモリー特集電子テクノロジー（昭和５５年９月１８日発行）がある。
　【００１０】
　この記事では、鉄を主成分とした非晶質合金の磁性薄膜をレーザの熱で、キュリー点まで温めることで、バイアス磁界の方向に磁化させることで書き込みを行ない、一方直線偏光になったレーザビームを磁性薄膜に入射し、それが反射する際に光の偏光面が磁化の向きに依存して回転することを利用して、その回転状態を検光子を介して測定することで情報を再生する装置が示される。
　【００１１】
　この装置の書き込みを行なう手段の構成を概略説明すると、レーザー光源と、このレーザー光源から発せられた光を光磁気ディスクに導くと共に光磁気ディスクに光スポットを形成するレンズ等の光学系と、上記光磁気ディスクと上記の光学系に含まれる光スポットを光磁気ディスクに形成する集束レンズとの中間にあって光磁気ディスクの磁性薄膜に外部からバイアス磁界を印加するコイルからなる。
　【００１２】
　【発明が解決しようとする課題】
　しかし、この記事に示される磁気光学記録再生装置の書き込みを行なう為の構成では次の問題が生じた。
　【００１３】
　即ち、集束レンズと光磁気ディスクの間にコイルを配置した場合、コイルの厚みがある程度必要である為に集束レンズと光磁気ディスクの間の距離を短くできない。
　【００１４】
　逆に集束レンズと光磁気ディスクの間の距離を適切な値にする為にはコイルの厚みを非常に薄くしなければならず、その場合コイルの巻数を充分に取ることができない。
　【００１５】
　又、コイルに電流を流して磁場を発生させる場合、永久磁石を用いる場合に比較して発生する磁場の強度を充分に得ることが難しい。
　【００１６】
　その為に電流を大きくしたりコイルの巻数を多くすることが必要となる。しかし電流を大きくすることは発熱が生ずる為に装置内の温度上昇につながり好ましく無く、又、コイルの巻数を多くすることはそれによりインダクタンスが大きくなる為に磁場の応答変化が遅くなり、光磁気ディスクに供給する磁場の高速切換が困難になるという問題がある。
　【００１７】
　【課題を解決するための手段】
　本発明の磁気光学記録再生装置は、上記課題を解決するため、
レーザ光源と、
　透明な基板に
希土類金属と遷移金属よりなるアモルファスフェリ磁性体からなる
　前記レーザ光源から出射されたレーザ光を前記垂直磁化膜にスポット照射させる光学手段と、
　前記レーザ光のスポット照射部分に磁場を与える磁場付与手段と、
を備え、
　スポット照射させるための光学手段は、前記記録円板の前記透明な基板側に配置され、レーザ光を前記記録円板の透明な基板を介して前記垂直磁化膜に
照射し、
　前記磁場付与手段は、磁性体にコイルを巻いて形成される電磁石からなり、
　該電磁石は、
前記記録円板に対して、
　前記記録円板は、
前記垂直磁化膜上の、前記垂直磁化膜に対して前記電磁石が配置される側に、
　
誘電体膜と、
　
反射膜と、
　
ガラス，セラミックス，金属，樹脂のいずれかと、
をこの順に有する保護手段
　【００１８】
　【発明の実施の形態】
　以下、本発明に係わる一実施例を図面を用いて詳細に説明する。
　【００１９】
　第１図は本発明に係わる磁気光学記録再生装置の一実施例の簡略化した構成を示す図である。
　【００２０】
レーザ光源として気体レーザを用いた場合を説明する。
　【００２１】
　同図において、３はレーザ光源であり、このレーザ光源３より出射され、記録すべき情報信号を光に伝える光変調器４、直線偏光のみを通過させる偏光プリズム５、偏光面を回転させるファラディ効果素子６、直線偏光のみを通過させる偏光プリズム７、ビームスプリッタ８、光路変更用ミラー９、λ／４板１０、絞りレンズ１１、を通った光磁気光学記録円板１２に入射される。この円板１２からの帰り光は、上記絞りレンズ１１、λ／４板１０、ミラー９を通り、ビームスプリッター８により光路を変更して、λ／４板１３、検光子１４を通過し受光素子１５に入光する。又、記録、消去時に記録素子に加える磁場は記録円板１２の裏面より加えるようにする。記録・消去・再生については後述する。
　【００２２】
　次に記録円板１２は例えば第２図の断面図に示すような構成とする。即ち厚さ０．５ｍｍから２ｍｍ程度の透明なガラス又は樹脂製の基板１６にＧｄＴｂＦｅ、ＴｂＦｅ等の希土類金属と遷移金属よりなるアモルファスフェリ磁性体の垂直磁化膜１７を形成し、更に該アモルファス膜１７の上にＳｉＯ２等の誘電体膜１８を形成し、該誘電体膜１８上にＡｌ、Ａｕ、Ａｇ等の反射膜１９を形成し、ガラス、セラミック、金属、樹脂等よりなる支持円板２０を接着剤２１で張り合わせた構成とする。上記磁性体膜１７にはあらかじめ結晶化により形成されたガイドトラック２２と磁気記録を行う記録トラック２３がある。この記録円板１２はモーター２８により所定の速度で回転される。
　【００２３】
　次に第１図に示す装置を用い情報の記録を行う場合の説明をする。上記記録装置により情報の記録を行うには記録すべき情報に応じて光変調器４により、レーザ光に強度変化を与え、該レーザ光を絞りレンズ１１により記録トラック２３に約１μｍφのスポットで絞り照射する。そしてレーザ光の強度変化に応じて記録トラック２３上にキュリ点記録もしくは保磁力記録が行なわれる。この際に記録円板１２の裏面からコイル２４により磁場を発生させ、この磁場を記録トラック２３に印加する。
　【００２４】
　上記コイル２４はパーマロイ等の磁性体２５に巻かれて電磁石とされている。
　【００２５】
　上記方法により情報は記録トラック２３に記録面に垂直上向き、又は垂直下向きの磁区として記録される。
　【００２６】
　次に情報の再生を行う場合の説明をする。
　【００２７】
　上記方法によ記録された情報の再生は、記録されたトラックに偏光を入射させた時の反射光の偏光状態及び反射光量の変化の、いわゆる磁気光学効果を利用して行なわれる。
　【００２８】
　第１図を参照して説明すれば、グラムトムソンプリズム等の偏光プリズム５により直線偏光になったレーザ光はＦＲ−５等のファラディガラス６を通過することにより、方位角を４５゜回転させる。次の偏光プリズム７の透過軸をファラディガラス６の通過後の偏光の方位角に合せると、光量の損失は極小におさえられる。偏光プリズム７を通過した光が記録トラック２３上に入射し、偏光状態及び光量の変化を受けて反射され、ビームスプリッター８により受光器１５へと導かれる。その時検光子１４の透過軸とλ／４板１３の方位角を適当に変化させ、記録状態に対応する信号雑音比（Ｓ／Ｎ）が最も大きくなるよう調整する。λ／４板１０も適当に回転させＳ／Ｎを最大にするために用いる。
　【００２９】
　反射光は一般に楕円偏光になっているが、偏光子７により楕円成分が除去され、ファラディガラス６に入る。そしてファラディガラス６により方位角を４５°進められた偏光は偏光プリズム５の通過軸と９０°の方位角をなすため、レーザ光源３の方向には帰らずＣの方向に反射される。
　【００３０】
　尚、上記ファラディガラス６はリング状の磁石２６の中に入れられ磁石２６の外側にコイル２７を巻いた構成にする。即ち磁石２６によりファラディガラスの磁化をレーザ光線の方向に揃え、コイル２７によりファラディ回転角が４５°になるよう補正する。従ってファラディ効果素子の種類によっては磁石２６のみあるいはコイル２７のみでも良い場合がある。
　【００３１】
　以上の説明において、第１図は簡略図であり、フォーカストラック等のサーボに必要な光学系やレーザ光を最適に絞るに必要なレンズ系は省略されている。
　【００３２】
　又、上記記録再生の説明は気体レーザについて行なったが、半導体レーザを用いた場合の記録再生は変調器４が不要である外はまったく同様に行なわれる。
　【００３３】
　又、上記説明では記録媒体として円板を用いたが、膜面に垂直な磁化を有する記録媒体に磁区の形で情報記録できるものであれば、本発明の主旨の範囲で再生が可能であり、円板体の代わりにテープ状、ドラム状、シート状等の記憶素子にでも適用できる。
　【００３４】
　【発明の効果】
　以上のように
本発明
希土類金属と遷移金属よりなるアモルファスフェリ磁性体からなる
照射し、
前記記録円板に対して、
前記垂直磁化膜上の、前記垂直磁化膜に対して前記電磁石が配置される側に、誘電体膜と、反射膜と、ガラス，セラミックス，金属，樹脂のいずれかと、をこの順に有する保護手段を有してなることを特徴とするものである。
【図面の簡単な説明】
　【図１】
　本発明に係わる磁気光学記録再生装置の一実施例の基本的構成を示す図である。
　【図２】
　磁気光学記録円板の一例を示す一部拡大側面断面図である。
　【符号の説明】
　３　レーザ光源
　５、７　偏光プリズム
　６　ファラディ効果素子
　１２　磁気光学記憶円板